(57)【要約】      （修正有）【課題】３つ以上の槽を備え、効率的に作業水及び作業廃水を搬送できる液体搬送タンクを提供する。【解決手段】第１槽から第ｎ槽までｎ（ｎは３以上の自然数）個の同じ容量の槽を備えた液体搬送タンクであって、作業現場に向かうときは、第１槽が空とされ、残りの第２槽から第ｎ槽に作業水が満たされており、作業現場での第１工程では、第２槽の作業水を作業に使用し、発生した作業廃水を第１槽に回収し、次に第２工程では、第３槽の作業水を作業に使用し、発生した作業廃水を第１工程で空になった第２槽に回収し、以下、順次工程を繰り返し、最後の第（ｎ−１）工程では、第ｎ槽の作業水を作業に使用し、発生した作業廃水を一つ前の第（ｎ−２）工程で空になった第（ｎ−１）槽に回収し、作業現場を離れるときは、第１槽から第（ｎ−１）槽に作業廃水が満たされており、第ｎ槽が空とされる。【選択図】図２
0003225895.tif 000002
【実用新案登録請求の範囲】
【請求項１】
第１槽から第ｎ槽までｎ（ｎは３以上の自然数）個の同じ容量の槽を備えた液体搬送タンクであって、
作業現場に向かうときは、第１槽が空とされ、残りの第２槽から第ｎ槽に作業水が満たされており、
作業現場での第１工程では、第２槽の作業水を作業に使用し、発生した作業廃水を第１槽に回収し、
次に第２工程では、第３槽の作業水を作業に使用し、発生した作業廃水を第１工程で空になった第２槽に回収し、
以下、順次工程を繰り返し、
最後の第（ｎ−１）工程では、第ｎ槽の作業水を作業に使用し、発生した作業廃水を一つ前の第（ｎ−２）工程で空になった第（ｎ−１）槽に回収し、
作業現場を離れるときは、第１槽から第（ｎ−１）槽に作業廃水が満たされており、第ｎ槽が空とされる、液体搬送タンク。
【請求項２】
縦Ｌ１（ｍｍ）、横Ｗ（ｍｍ）、高さＨ（ｍｍ）の直方体のタンク本体の内部が横中央で仕切板により仕切られて、左側槽及び右側槽が形成された第１液体搬送タンクと、
縦Ｌ２（ｍｍ）、横Ｗ（ｍｍ）、高さＨ（ｍｍ）の直方体のタンク本体の内部が横中央で仕切板により仕切られて、左側槽及び右側槽が形成された第２液体搬送タンクと、を備え、
前記第１液体搬送タンクと前記第２液体搬送タンクが組み合わされ、全体として縦（Ｌ１＋Ｌ２）（ｍｍ）、横Ｗ（ｍｍ）、高さＨ（ｍｍ）の直方体の集合液体搬送タンクが構成される、液体搬送タンク。
【請求項３】
前記第１液体搬送タンクの縦Ｌ１（ｍｍ）と、前記第２液体搬送タンクの縦Ｌ２（ｍｍ）との比（Ｌ１：Ｌ２）が（２：３）である、請求項２に記載された液体搬送タンク。
【考案の詳細な説明】
【技術分野】
【０００１】
本考案は、作業水及び作業廃水の搬送に用いる液体搬送タンクに関するものである。
【背景技術】
【０００２】
アスファルトやコンクリートの舗装路面の切断作業におけるカッターの冷却及び洗浄に使用される作業水を作業現場まで搬送し、作業中に発生する作業廃水を回収することが行われている。
【０００３】
このような作業に用いられるものとして、例えば特許文献１に記載された液体搬送タンクが提案されている。特許文献１に記載された液体搬送タンクは、タンク本体の内部が仕切板によって仕切られて、作業水槽と作業廃水槽が形成されている。
【０００４】
このような液体搬送タンクを用いれば、作業水を作業水槽に入れて作業現場まで搬送し、作業中に発生する作業廃水を作業廃水槽に回収し持ち帰ることができる。
【０００５】
また、特許文献１に記載された液体搬送タンクは、作業水槽と作業廃水槽が一つの液体搬送タンク内にまとまっているため、作業車両への搭載性が良く、取り扱い易いものとなっている。
【先行技術文献】
【特許文献】
【０００６】
【特許文献１】特開２０１８−１６９５９号公報
【考案の概要】
【考案が解決しようとする課題】
【０００７】
ところが、作業現場の作業量によっては作業水の量が不足する場合がある。この場合には、仮に作業水のみ別のところから調達できたとしても、発生した作業廃水を作業廃水槽に回収できない。
【０００８】
この対策としては、特許文献１に記載された液体搬送タンクの容量を大きくすることが考えられる。しかし、それでは容量を仮に２倍にしても、搬送できる作業水と作業廃水の量は２倍にしかならない。できるだけ全体の容量の増加を抑えつつ、搬送できる作業水と作業廃水の量を増加できる液体搬送タンクが望まれる。
【０００９】
そこで、本考案は、３つ以上の槽を備えることで、効率的に作業水及び作業廃水を搬送できる液体搬送タンクを提案する。
【課題を解決するための手段】
【００１０】
第１の考案の液体搬送タンクは、第１槽から第ｎ槽までｎ（ｎは３以上の自然数）個の同じ容量の槽を備えた液体搬送タンクであって、作業現場に向かうときは、第１槽が空とされ、残りの第２槽から第ｎ槽に作業水が満たされており、作業現場での第１工程では、第２槽の作業水を作業に使用し、発生した作業廃水を第１槽に回収し、次に第２工程では、第３槽の作業水を作業に使用し、発生した作業廃水を第１工程で空になった第２槽に回収し、以下、順次工程を繰り返し、最後の第（ｎ−１）工程では、第ｎ槽の作業水を作業に使用し、発生した作業廃水を一つ前の第（ｎ−２）工程で空になった第（ｎ−１）槽に回収し、作業現場を離れるときは、第１槽から第（ｎ−１）槽に作業廃水が満たされており、第ｎ槽が空とされる。
【００１１】
第１の考案の液体搬送タンクは、ｎ（ｎは３以上の自然数）個の槽のうち（ｎ−１）個の槽に作業水又は作業廃水を満たして液体を搬送することができる。そのため、全容量に対し搬送できる容量の割合を従来の２槽式の液体搬送タンクよりも高くすることができる。
【００１２】
第２の考案の液体搬送タンクは、縦Ｌ１（ｍｍ）、横Ｗ（ｍｍ）、高さＨ（ｍｍ）の直方体のタンク本体の内部が横中央で仕切板により仕切られて、左側槽及び右側槽が形成された第１液体搬送タンクと、縦Ｌ２（ｍｍ）、横Ｗ（ｍｍ）、高さＨ（ｍｍ）の直方体のタンク本体の内部が横中央で仕切板により仕切られて、左側槽及び右側槽が形成された第２液体搬送タンクと、を備え、前記第１液体搬送タンクと前記第２液体搬送タンクが組み合わされ、全体として縦（Ｌ１＋Ｌ２）（ｍｍ）、横Ｗ（ｍｍ）、高さＨ（ｍｍ）の直方体の集合液体搬送タンクが構成される。
【００１３】
第２の考案の液体搬送タンクは、４個の槽のうち３個の槽に作業水又は作業廃水を満たして液体を搬送することができる。そのため、全容量に対し搬送できる容量の割合を従来の２槽式の液体搬送タンクよりも高くすることができる。また、直方体のタンクの横Ｗ（ｍｍ）寸法をトラックの荷台横幅内に収まる寸法とすることにより、第２の考案の液体搬送タンクは、トラックへの搭載性に優れた液体搬送タンクになる。
【００１４】
第３の考案の液体搬送タンクは、前記第１液体搬送タンクの縦Ｌ１（ｍｍ）と、前記第２液体搬送タンクの縦Ｌ２（ｍｍ）との比（Ｌ１：Ｌ２）が（２：３）である。
【００１５】
第３の考案の液体搬送タンクは、第１液体搬送タンクと第２液体搬送タンクとを２個ずつ準備すれば、単独で使用、あるいは集合液体搬送タンクを構成することで、５通りの容量の液体搬送タンクを用意することができる。
【考案の効果】
【００１６】
本考案の液体搬送タンクによれば、全容量に対し搬送できる作業水及び作業廃水の容量の割合を従来の２槽式の液体搬送タンクよりも高くすることができる。また、作業現場によって異なる作業水の必要量に対応して、液体搬送タンク（集合液体搬送タンク）の容量をいく通りにも変えることができる。
【図面の簡単な説明】
【００１７】
【図１】実施例１に係る液体搬送タンクの斜視図である。
【図２】実施例１に係る液体搬送タンクによる液体搬送を説明する図である。
【図３】実施例２に係る第２液体搬送タンクの斜視図である。
【図４】構成しうる液体搬送タンク（集合液体搬送タンク）を容量の順に並べたものである。
【考案を実施するための形態】
【００１８】
本考案を実施するための形態について、添付図面を参照しながら説明する。請求項１に係る考案は、槽の数（ｎ個）が３個以上の同じ容量の槽を備えた液体搬送タンクに適用できるが、ここではｎ＝４の場合、すなわち４個の槽を備えた液体搬送タンクについて、以下、実施例１として説明する。
【実施例１】
【００１９】
図１（ａ）は、実施例１として説明する第１液体搬送タンク１の斜視図である。第１液体搬送タンク１は、縦Ｌ１（ｍｍ）、横Ｗ（ｍｍ）、高さＨ（ｍｍ）の直方体のタンク本体２の内部が横中央で仕切板３により仕切られて、左側槽４及び右側槽５が形成されている。
【００２０】
第１液体搬送タンク１の横Ｗ（ｍｍ）の寸法は、トラックの荷台の横方向の内寸法よりも少し小さい寸法が選定される。それにより、第１液体搬送タンク１をトラックの荷台のアオリに接近させて搭載することができる。
【００２１】
図１（ｂ）は、２個の第１液体搬送タンク１を組み合わせて構成された集合液体搬送タンク６の斜視図である。２個の第１液体搬送タンク１は、横Ｗ（ｍｍ）×高さＨ（ｍｍ）の面同志が合わされて、図示しないボルト・ナットによって連結されている。
【００２２】
集合液体搬送タンク６は、４個の槽を備えている。ここで、説明上の都合により図１（ｂ）に示すように、４個の槽に対しそれぞれ、第１槽１０、第２槽１１、第３槽１２、第４槽１３と名付ける。
【００２３】
集合液体搬送タンク６は、４個の槽をそなえた液体搬送タンク１４とも言うことができる。以降は集合液体搬送タンク６を、単に、液体搬送タンク１４と言うこととする。
【００２４】
図２は、実施例１に係る液体搬送タンク１４による液体搬送を説明する図である。（ａ）図は、作業現場に向かう時の液体搬送タンク１４を示している。第１槽１０が空とされ、残りの第２槽１１、第３槽１２及び第４槽１３に作業水が満たされている。作業水が満たされている状態を斜め線のハッチングで表し、空の状態をハッチング無しで表している。（ａ）図から明らかなように、液体搬送タンク１４の全容量のうちの３／４に作業水を満たすことができる。
【００２５】
図２において（ｂ）図〜（ｄ）図（破線で囲っている部分）は、作業現場での液体搬送タンク１４による作業水の供給と作業廃水の回収を説明する図である。（ｂ）図は第１工程を説明している。第１工程では、第２槽１１の作業水を作業機１５での作業に使用し、発生した作業廃水を第１槽１０に回収する。作業廃水が満たされている状態を斜め格子線のハッチングで表している。
【００２６】
次に第２工程では、第３槽１２の作業水を作業に使用し、発生した作業廃水を第１工程で空になった第２槽１１に回収する。
【００２７】
最後の第３工程では、第４槽１３の作業水を作業に使用し、発生した作業廃水を一つ前の第２工程で空になった第３槽１２に回収する。
【００２８】
（ｅ）図は、作業現場から離れる時の液体搬送タンク１４を示している。第４槽１３が空とされ、残りの第１槽１０、第２槽１１及び第３槽１２に作業廃水が満たされている。
【００２９】
以上説明したように、実施例１の液体搬送タンク１４は、４個の槽のうち３個の槽に作業水又は作業廃水を満たして液体を搬送することができる。そのため、全容量に対し搬送できる容量の割合が３／４となる。すなわち、従来の２槽式の液体搬送タンクが全容量に対し搬送できる容量の割合が１／２であったことに比べ搬送できる容量の割合を高くすることができる。
【００３０】
実施例１では、４個の槽（ｎ＝４）を備える液体搬送タンクについて説明したが、本考案に係る液体搬送タンクは３個以上の槽（ｎ≧３）であればよい。３個以上の槽をそなえる液体搬送タンクであれば、全容量に対し搬送できる容量の割合を従来の２槽式の液体搬送タンクよりも高くすることができる。
【実施例２】
【００３１】
図３は、実施例２で説明する第２液体搬送タンク２０の斜視図である。第２液体搬送タンク２０は、縦Ｌ２（ｍｍ）、横Ｗ（ｍｍ）、高さＨ（ｍｍ）の直方体のタンク本体２の内部が横中央で仕切板２２により仕切られて、左側槽２３及び右側槽２４が形成されている。
【００３２】
第２液体搬送タンク２０の横Ｗ（ｍｍ）の寸法は、第１液体搬送タンク１（図１参照）の横Ｗ（ｍｍ）と同寸法である。すなわち、第２液体搬送タンク２０の横Ｗ（ｍｍ）の寸法は、トラックの荷台の横方向の内寸法よりも少し小さい寸法が選定される。それにより、第２液体搬送タンク２０もトラックの荷台のアオリに接近させて搭載することができる。
【００３３】
第２液体搬送タンク２０の縦Ｌ２（ｍｍ）は、第１液体搬送タンク１（図１参照）の縦Ｌ１（ｍｍ）の寸法との比（Ｌ２：Ｌ１）が（２：３）となる寸法である。第２液体搬送タンク２０の高さＨ（ｍｍ）の寸法は、第１液体搬送タンク１（図１参照）の高さＨ（ｍｍ）と同寸法である。
【００３４】
図４は、第１液体搬送タンク１と第２液体搬送タンク２０とを単独で、あるいは組み合わせることにより構成しうる液体搬送タンク（集合液体搬送タンク）について、全体容量が小さいものから大きいものへと順番に並べたものである。図４に示されるように、２種類の容量の液体搬送タンクを２個ずつ用意することにより、その組み合わせを変えるだけで５種類の容量の液体搬送タンク（集合液体搬送タンク）を構成することができる。
【００３５】
図４には、アの液体搬送タンクの搬送容量を１とし、全液体搬送タンク（集合液体搬送タンク）の搬送容量及び全容量を容量比で表している。図４に示した容量比からわかるように、異なる搬送容量を５種類用意することができる。
【００３６】
また、全容量に関しては、全容量（比）を２、３、４、５、６と等差級数となるよう変化させることができる。すなわち、図４に示したアの液体搬送タンクの全容量を仮に４００リットルとなるように構成すると、残りのイ〜オの液体搬送タンク（集合液体搬送タンク）の全容量を、順に６００リットル、８００リットル、１０００リットル、１２００リットルと変化させることができる。
【００３７】
以上より、行こうとする現場の必要量に合わせ、第１液体搬送タンク１と第２液体搬送タンク２０とを単独で、あるいは組み合わせることにより、必要量の作業水を持っていくことができ、発生した作業廃水をすべて回収し持ち帰ることができる。
【符号の説明】
【００３８】
１    第１液体搬送タンク
２    タンク本体
３    仕切板
４    左側槽
５    右側槽
６    集合液体搬送タンク
１０  第１槽
１１  第２槽
１２  第３槽
１３  第４槽
１４  液体搬送タンク
２０  第２液体搬送タンク
２１  タンク本体
２２  仕切板
２３  左側槽
２４  右側槽
【図１】
0003225895.tif 000003
【図２】
0003225895.tif 000004
【図３】
0003225895.tif 000005
【図４】
0003225895.tif 000006